(57)【要約】  【課題】  本発明は、利用者ＩＤと当該利用者が登録している十八番を使用し、複数の利用者ＩＤが取得された際に、各利用者の十八番の楽曲を自動的に抽出し、グループメドレーを作成して演奏可能とすることによって、グループで利用者が来店するカラオケボックスなどでの雰囲気を大いに盛り上げることのできるグループメドレー作成システム。  【解決手段】  利用者ＩＤ取得手段（３）と、楽曲十八番登録手段（１５）と、グループ登録手段（１６）と、利用者別楽曲抽出曲手段（１７）と、グループメドレー作成手段（１８）とを要し、利用者別十八番管理テーブル（Ｔ１）で管理している各利用者が登録した十八番楽曲を参照し、複数の利用者がグループ登録されたなら、利用者別抽出曲管理テーブル（Ｔ３）に納められている十八番楽曲からグループメドレーを自動的に作成するシステムを構築した。【選択図】図１
2007316370.tif 000002
【特許請求の範囲】
【請求項１】
利用者ＩＤ取得手段と、楽曲十八番登録手段と、グループ登録手段と、利用者別楽曲抽出手段と、グループメドレー作成手段とを要し、カラオケ装置を利用したシステムであり、
（ア）利用者ＩＤ取得手段とは、利用者ＩＤを取得して利用者を特定するものであり、
（イ）楽曲十八番登録手段とは、前記利用者ＩＤ取得手段にて特定された任意の利用者が好みの楽曲を、利用者別十八番管理テーブルに登録するものであり、
（ウ）グループ登録手段とは、前記利用者ＩＤ取得手段にて複数の利用者ＩＤが特定された場合、それら利用者ＩＤをもってグループ登録できるものであり、
（エ）利用者別楽曲抽出手段とは、グループ登録された各利用者につき、前記利用者別十八番管理テーブルに記録された楽曲を任意に抽出し、利用者別抽出曲管理テーブルに記録するものであり、
（オ）グループメドレー作成手段とは、前記利用者別抽出管理テーブルに記録された楽曲について、それぞれ予め設定された歌唱区間を繋ぎ合わせ、グループメドレーを作成するものであり、
を特徴とするグループメドレー作成システム。
【請求項２】
さらに、楽曲演奏頻度記録手段を要し、カラオケ装置を利用したシステムであって、
（カ）楽曲演奏頻度記録手段とは、前記利用者別十八番管理テーブルに登録している各利用者の楽曲の演奏頻度を、利用者別演奏頻度管理テーブルに記録するものであり、
（キ）前記利用者別楽曲抽出手段は、グループ登録された各利用者につき、前記利用者別演奏頻度管理テーブルに記録された演奏頻度に基づき、それぞれの上位所定楽曲を抽出し、利用者別抽出曲管理テーブルに記録するものであり、
ことを特徴とする請求項１記載のグループメドレー作成システム。
【請求項３】
さらに、歌唱採点手段と、楽曲採点記録手段を要し、カラオケ装置を利用したシステムであって、
（サ）歌唱採点手段とは、利用者が歌唱した楽曲につき、予め設定された所定歌唱区間毎の歌唱状態を解析し、それぞれの採点値に基づきその採点結果を算出するものであり、
（シ）楽曲採点記録手段とは、前記利用者別十八番管理テーブルに登録している各利用者の楽曲において、前記歌唱採点手段で算出された採点結果を、利用者別採点結果管理テーブルに記録するものであり、
（ス）前記利用者別楽曲抽出手段は、グループ登録された各利用者につき、前記利用者別採点結果管理テーブルに記録された採点結果に基づき、それぞれの上位所定楽曲を抽出し、利用者別抽出曲管理テーブルに記録するものであり、
ことを特徴とする請求項１のグループメドレー作成システム。
【請求項４】
前記カラオケ装置とネットワーク接続されたカラオケホスト装置を利用し、当該ホスト装置内に、楽曲十八番登録手段と、が設けられている請求項１，２または３記載のグループメドレー作成システム。
【発明の詳細な説明】
【技術分野】
【０００１】
本発明は、グループメドレー作成システムに関し、とくに、各利用者が登録している十八番楽曲からメドレー楽曲を自動的に作成できるシステムに関する。
【背景技術】
【０００２】
カラオケ装置の楽曲でメドレー楽曲とは、アーティストの各持ち歌の一部分、主にサビ部分を抜き取って一曲に納めるものであり、従来は、アーティストのどの曲を使用するかを、カラオケ業者が楽曲を作成する際に選曲していた。
【０００３】
最近では利用者毎にメドレーを構成する楽曲を選択できる技術が想到されている。例えば、特許文献１では、利用者ＩＤと歌唱履歴を参照し、楽曲毎に最高得点を記録した歌唱区間を繋ぎ合わせてメドレー楽曲を作成する技術が開示されている。また、特許文献２では、利用者が好みの楽曲を選曲し、メドレー楽曲を作成する技術が開示されている。
【特許文献１】特開２０００−１４８１６７号公報
【特許文献２】特開平１１−２１２５８３号公報
【発明の開示】
【発明が解決しようとする課題】
【０００４】
特許文献１では、利用者の歌唱履歴に基づいて得点の高い楽曲が自動的にメドレーとして作成されるので、当該利用者が不得意な楽曲が演奏されることがない。しかし、必ずしも利用者が所望する楽曲が選択されるわけではなく、しかも、歌唱区間はシステムが決定するため利用者が選択することはできない。
【０００５】
特許文献２では、利用者が好みの楽曲の全部または一部分を指示し、その部分を抽出してメドレー楽曲を作成するもので、複数の利用者がグループで代わる代わる歌唱できるメドレー楽曲の作成については開示されていない。
【０００６】
そこで、本発明は、利用者ＩＤと当該利用者が登録している十八番を使用し、複数の利用者ＩＤが取得された際に、各利用者の十八番の楽曲を自動的に抽出し、グループメドレーを作成して演奏可能とすることを目的とする。
【課題を解決するための手段】
【０００７】
上記課題を鑑み、本発明では、利用者ＩＤを取得した複数の利用者がグループ登録された場合は、それぞれが登録している十八番から任意の楽曲を抽出して、グループメドレーを作成することにより上記課題を解決することを見出し、本発明のグループメドレー作成システムを想到した。
【０００８】
すなわち、本発明の請求項１のグループメドレー作成システムは、利用者ＩＤ取得手段と、楽曲十八番登録手段と、グループ登録手段と、グループメドレー作成手段とを要し、カラオケ装置を利用したシステムであって、
（ア）利用者ＩＤ取得手段とは、利用者ＩＤを取得して利用者を特定するものであり、
（イ）楽曲十八番登録手段とは、前記利用者ＩＤ取得手段にて特定された任意の利用者が好みの楽曲を、利用者別十八番管理テーブルに登録するものであり、
（ウ）グループ登録手段とは、前記利用者ＩＤ取得手段にて複数の利用者ＩＤが特定された場合、それら利用者ＩＤをもってグループ登録できるものであり、
（エ）利用者別楽曲抽出手段とは、グループ登録された各利用者につき、前記利用者別十八番管理テーブルに記録された楽曲を任意に抽出し、利用者別抽出曲管理テーブルに記録するものであり、
（オ）グループメドレー作成手段とは、前記利用者別抽出管理テーブルに記録された楽曲について、それぞれ予め設定された歌唱区間を繋ぎ合わせ、グループメドレーを作成するものであり、ことを特徴とする。
【０００９】
次に、本発明の請求項２記載のグループメドレー作成システムは、請求項１記載のシステムにおいて、楽曲演奏頻度記録手段を要し、
（カ）楽曲演奏頻度記録手段とは、前記利用者別十八番管理テーブルに登録している各利用者の楽曲の演奏頻度を、利用者別演奏頻度管理テーブルに記録するものであり、
（キ）前記利用者別楽曲抽出手段は、グループ登録された各利用者につき、前記利用者別演奏頻度管理テーブルに記録された演奏頻度に基づき、それぞれの上位所定楽曲を抽出し、利用者別抽出曲管理テーブルに記録するものであり、
ことを特徴とする。
【００１０】
次に、本発明の請求項３記載のグループメドレー作成システムは、請求項１または請求項２記載のシステムにおいて、歌唱採点手段と、楽曲採点記録手段を要し、
（サ）歌唱採点手段とは、利用者が歌唱した楽曲につき、予め設定された所定歌唱区間毎の歌唱状態を解析し、それぞれの採点値に基づきその採点結果を算出するものであり、
（シ）楽曲採点記録手段とは、前記利用者別十八番管理テーブルに登録している各利用者の楽曲において、前記歌唱採点手段で算出された採点結果を、利用者別採点結果管理テーブルに記録するものであり、
（ス）前記利用者別楽曲抽出手段は、グループ登録された各利用者につき、前記利用者別採点結果管理テーブルに記録された採点結果に基づき、それぞれの上位所定楽曲を抽出し、利用者別抽出曲管理テーブルに記録するものであり、ことを特徴とする。
【００１１】
次に、本発明の請求項４記載のグループメドレー作成システムは、請求項１，２または３記載のシステムにおいて、前記カラオケ装置とネットワーク接続されたカラオケホスト装置を利用し、当該ホスト装置内に前記楽曲十八番登録手段が設けられていることを特徴とする。
【発明の効果】
【００１２】
本発明の請求項１記載のグループメドレー作成システムによれば、利用者ＩＤが取得された利用者が好みの楽曲を十八番として利用者別十八番管理テーブルに登録し、その中から、任意の楽曲を抽出して、グループメドレー作成手段を使用して、所定区間を繋ぎ合わせることにより、皆が代わる代わる歌唱できるグループメドレーを自動的に作成することができ、かつ、好みの楽曲をメドレー楽曲とすることで、グループで利用者が来店するカラオケボックスなどで雰囲気を大いに盛り上げるといった効果を奏する。
【００１３】
さらに、本発明の請求項２記載のグループメドレー作成システムによれば、利用者別十八番管理テーブルに登録された楽曲の中から、各利用者の演奏頻度上位曲を抽出し、前記グループメドレー作成手段にて、抽出された楽曲の所定区間を繋ぎ合わせることにより、グループメドレーを自動的に作成するので、好みの楽曲でよく歌う楽曲をメドレー楽曲とすることができ、かつ利用者の演奏頻度によりメドレーの楽曲が変動するので、予期せぬ楽曲をメドレーとしてグループで歌唱することができるといった効果を奏する。
【００１４】
さらに、本発明の請求項３記載のグループメドレー作成システムによれば、利用者別十八番管理テーブルに登録された楽曲の中から、各利用者の採点上位所定楽曲を抽出し、前記グループメドレー作成手段にて、所定歌唱区間を繋ぎ合わせることにより、グループメドレーを自動的に作成するので、好みで得意とする楽曲をメドレー楽曲とすることができ、利用者の歌唱採点結果により楽曲および歌唱区間が変動するので、予期せぬ楽曲をメドレーとしてグループで歌唱することができるといった効果を奏する。
【００１５】
さらに、本発明の請求項４記載のグループメドレー作成システムによれば、カラオケホスト装置において、楽曲十八番登録手段にて作成された利用者別十八番管理テーブルによって、各利用者の十八番楽曲を管理しており、カラオケホスト装置にネットワーク接続された如何なるカラオケ装置からも前記歌唱採点結果などの情報を収集できると共に、如何なるカラオケ装置へもカラオケホスト装置に収集された情報を還元することにより、どのカラオケ装置からでも同じサービスが受けられるといった効果を奏する。
【発明を実施するための最良の形態】
【００１６】
【実施例１】
【００１７】
図１は、請求項１に係るカラオケシステムを構成するカラオケ装置のブロック構成図である。本実施例におけるカラオケ装置（Ｐ）は、主に中央制御手段（２）と、これに接続される各種機能手段およびハードディスク（ＨＤＤ）（４）などから構成される。ここでカラオケ装置（Ｐ）における各構成要素について説明する。先ず、通信制御手段（１２）は、ＡＤＳＬ回線、ＩＳＤＮ回線、一般回線などのネットワーク通信回線を介して行われるカラオケホスト装置との通信を制御するためのものである。また、利用者ＩＤ取得手段（３）は、利用者ＩＤ（２５）を取得して利用者を特定するものであり、後述するように、例えばＩＤカードＲ／Ｗ（読み取り／書き込み装置）などのインタフェースを使用する。この利用者ＩＤ取得手段（３）によって、一度、その利用者ＩＤ（２５）をもってログインした利用者が所定の操作処理をした場合、その利用者が特定される。なお、利用者ＩＤは、リモコン装置（Ｒ）のフラッシュメモリ（図示省略）とハードディスク（４）の双方に格納することができる。
【００１８】
次に、音声生成プロセスについて説明する。音源（６）は中央制御手段（２）が実行するシーケンサ（１４）の処理によって入力され、デジタルミキサ（７）は音源（６）が発生した複数の楽音信号やカラオケマイク（Ｍ）とＡ／Ｄコンバータ（９）を介して入力された歌唱者の歌唱音声信号を適当なバランスでミキシングする。ミキシングされたデジタル音声信号はサウンドシステム（ＳＳ）（８）に入力される。このサウンドシステム（８）はパワーアンプを備えており、入力されたデジタル信号をアナログ信号に変換して増幅し、スピーカ（ＳＰ）から楽音と歌唱音声信号を放音する。
【００１９】
ハードディスク（４）に記録されている各楽曲コード（１９）に対応づけられた映像データ（２０）は、ＭＰＥＧ形式にエンコードされており、中央制御手段（２）が実行する背景映像再生手段（図示省略）により再生処理を行い、これを読み出してＭＰＥＧデコーダ（１０）に入力する。このＭＰＥＧデコーダ（１０）は入力されたＭＰＥＧデータをＮＴＳＣの映像に変換して合成回路（１１）に入力し、この合成回路（１１）は、背景映像の映像信号上にテロップや採点ＯＳＤを合成し、合成された映像信号は表示手段（メインモニタ）（Ｄ１）に表示される。
【００２０】
上記した以外に、中央制御手段（２）には、楽曲十八番登録手段（１５）とグループ登録手段（１６）と利用者別楽曲抽出手段（１７）とグループメドレー作成手段（１８）とが設けられ、ハードディスク（４）には、利用者別十八番管理テーブル（Ｔ１）と楽曲別メドレー対応歌唱区間管理テーブル（Ｔ２）と利用者別十八番抽出曲管理テーブル（Ｔ３）が記録されている。
【００２１】
前記楽曲十八番登録手段（１５）は、前記ＩＤカードＲ／Ｗ（３）にて利用者ＩＤ（２５）が取得された利用者が、当該利用者の好みの楽曲や得意の楽曲を十八番として利用者別十八番管理テーブル（Ｔ１）に記録する。
【００２２】
前記グループ登録手段（１６）は、前記利用者ＩＤ取得手段（３）で複数の利用者ＩＤが特定された場合、それら利用者ＩＤをグループ登録する。
【００２３】
前記利用者別楽曲抽出手段（１７）は、グループ登録された各利用者につき、前記利用者別十八番管理テーブル（Ｔ１）に記録された楽曲を任意に抽出し、楽曲別メドレー対応歌唱区間管理テーブル（Ｔ２）に予め設定された歌唱区間とともに、抽出した楽曲コードを利用者別抽出曲管理テーブル（任意曲）（Ｔ３）に記録する。
【００２４】
そして、前記グループメドレー作成手段（１８）は、前記利用者別抽出曲管理テーブル（Ｔ３）に記録された楽曲について、それぞれ予め設定された歌唱区間を繋ぎ合わせてグループメドレーを作成する。
【００２５】
また、リモコン装置（Ｒ）は、楽曲検索機能あるいは、楽曲予約機能を備えた多機能カラオケリモコンであり、このリモコン装置（Ｒ）をもって、利用者は赤外線信号によりカラオケ装置本体に所望の演奏予約コマンドを転送する。例えば、リモコン装置（Ｒ）にて楽曲コードが入力されると、カラオケ楽曲のリクエストであるとして、ＲＡＭ（５）にある予約待ち行列（図示省略）に楽曲コードを演奏予約する。
【００２６】
図２は、請求項２に係るカラオケシステムを構成するカラオケ装置のブロック構成図である。なお説明の都合上、図１に示したカラオケ装置と同一構成部分には同一符号を付して、重複説明は省略する。
【００２７】
前記中央制御手段（２）には、前述した楽曲十八番登録手段（１５）とグループ登録手段（１６）と利用者別楽曲抽出手段（１７）とグループメドレー作成手段（１８）のほかに、楽曲演奏頻度記録手段（２１）が設けられ、ハードディスク（４）には、前述の利用者別十八番管理テーブル（Ｔ１）と楽曲別メドレー対応歌唱区間管理テーブル（Ｔ２）のほか、利用者別演奏頻度管理テーブル（Ｔ４）と利用者別演奏頻度上位曲管理テーブル（Ｔ５）が記録されている。
【００２８】
前記楽曲演奏頻度記録手段（２１）は、利用者別十八番管理テーブル（Ｔ１）に登録している各利用者の楽曲の演奏頻度を利用者別演奏頻度管理テーブル（Ｔ４）に記録する。
【００２９】
前記利用者別楽曲抽出手段（１７）は、グループ登録された各利用者につき、前記利用者別演奏頻度管理テーブル（Ｔ４）に記録された演奏頻度に基づき、それぞれの上位所定楽曲を抽出し、楽曲別メドレー対応歌唱区間管理テーブル（Ｔ２）に予め設定された歌唱区間とともに、抽出した楽曲コードを利用者別抽出曲管理テーブル（演奏頻度上位）（Ｔ５）に記録する。
【００３０】
そして、前記グループメドレー作成手段（１８）は、前記利用者別抽出曲管理テーブル（演奏頻度上位）（Ｔ５）に記録された楽曲について、それぞれ予め設定された歌唱区間を繋ぎ合わせてグループメドレーを作成する。
【００３１】
図３は、請求項３に係るカラオケシステムを構成するカラオケ装置のブロック構成図である。なお説明の都合上、図１および図２に示したカラオケ装置と同一構成部分には同一符号を付して、重複説明は省略する。
【００３２】
前記中央制御手段（２）には、前述した楽曲十八番登録手段（１５）とグループ登録手段（１６）と利用者別楽曲抽出手段（１７）とグループメドレー作成手段（１８）のほかに、歌唱採点手段（２２）と楽曲採点記録手段（２３）が設けられ、ハードディスク（４）には、前述の利用者別十八番管理テーブル（Ｔ１）と楽曲別メドレー対応歌唱区間管理テーブル（Ｔ２）のほか、利用者別採点結果管理テーブル（Ｔ６）と利用者別演奏採点上位曲管理テーブル（Ｔ７）が記録されている。
【００３３】
前記歌唱採点手段（２２）は、利用者が歌唱した楽曲につき、予め設定された所定歌唱区間毎の歌唱状態を解析し、それぞれの採点値に基づきその採点結果を算出する。
【００３４】
前記楽曲採点記録手段（２３）は、前記利用者別十八番管理テーブル（Ｔ１）に登録している各利用者の楽曲において、前記歌唱採点手段（２２）で算出された採点結果を、利用者別採点結果管理テーブル（Ｔ６）に記録する。
【００３５】
前記利用者別楽曲抽出手段（１７）は、グループ登録された各利用者につき、前記利用者別採点結果管理テーブル（Ｔ６）に記録された採点結果に基づき、それぞれの上位所定楽曲を抽出し、所定の歌唱区間とともに楽曲コードを利用者別演奏採点上位曲管理テーブル（Ｔ７）に記録する。
【００３６】
そして、前記グループメドレー作成手段（１８）は、前記利用者別抽出曲管理テーブル（Ｔ７）に記録された楽曲について、それぞれ所定の歌唱区間を繋ぎ合わせてグループメドレーを作成する。
【００３７】
次に、図４に示すカラオケリモコン装置の外観斜視図と、図５に示す利用者別ログイン・ログアウト指示のインタフェース表示画面にもとづき、各利用者の利用者ＩＤ取得手順について説明する。
【００３８】
図４は、ＧＵＩ操作パネル（Ｒａ）が備えられたリモコン装置（Ｒ）の外観斜視図である。このリモコン装置（Ｒ）は、利用者ＩＤを取得し、当該利用者のログインを特定するためのＩＤカードＲ／Ｗ（３）が付帯されている。このＩＤカードＲ／Ｗ（３）は非接触のＩＣモジュールを搭載したカードを対象とする装置であり、ＩＤカードに紐付けされた利用者ＩＤを特定するものである。もちろん、本実施例の他に、例えば、ＩＣモジュールを携帯電話に内蔵させたＩＣ機能付き携帯電話や、近距離無線通信手段であるBluetooth機構を有する携帯電話、あるいはパスワードの入力装置や指紋や声紋などの生体識別機能による機構の利用者識別手段を利用しても構わない。なお、このカラオケ装置と通信したり、さらには、ＶＰＮ（Virtual Private Network）を介してカラオケホスト装置と通信したりできる。
【００３９】
図５は、本システムにログインするための利用者ＩＤ登録を行う画面である。前記リモコン装置（Ｒ）の利用者ＩＤ所得手段（３）にて利用者がシステムにログインすると、前記ＧＵＩ操作パネル（Ｒａ）に表示される「お客様メンバーズゲート」画面（２５）内に当該利用者の「ゲートボタン」（２５ａ）が形成される。その後、当該利用者は「ゲートボタン」（２５ａ）を選択し歌唱したい楽曲を選択することにより、図１に示す演奏予約手段（１３）は、その楽曲を利用者ＩＤと紐付けして予約楽曲が予約待ち行列に登録され、当該楽曲が演奏される。
【００４０】
次に、メドレー楽曲を作成する手順について説明する。本実施例では、利用者ＩＤが取得された複数の利用者について、
各利用者が登録している十八番の中で任意の楽曲から作成する（請求項１）
各利用者が登録している十八番の中で演奏頻度の多い楽曲から作成する（請求項２）
各利用者が登録している十八番の中で歌唱採点の高い楽曲から作成する（請求項３）
以上、３つの制御方法にてグループメドレーを作成することを想定している。
【００４１】
（ア）任意の楽曲
先ず、図１と図６乃至図９にしたがって、各利用者が登録している十八番の楽曲の中から、任意の楽曲を選んでグループメドレーを自動的に作成するシステムについて説明する。
【００４２】
図６は、利用者別十八番管理テーブル（Ｔ１）の概略図であり、（ア）は利用者Ａ、（イ）は利用者Ｂ、（ウ）は利用者Ｃの十八番の楽曲を示し、各利用者が好みの曲や得意の曲を、予めリモコン装置（Ｒ）により楽曲十八番登録手段（１５）を利用して登録したものを、利用者別に十八番として管理するテーブルであり、演奏端末毎あるいはカラオケホスト装置にて管理するものである。該利用者別十八番管理テーブル（Ｔ１）の構成要素としては、利用者ＩＤを特定する「利用者ＩＤ」フィールド（ｆ１）と、管理するための管理番号を示す「管理番号」フィールド（ｆ２）と、利用者が登録した十八番の楽曲の曲名を示す「曲名」フィールド（ｆ３）と、その楽曲ＩＤを示す「楽曲コード」フィールド（ｆ４）などから構成される。
【００４３】
図７は、利用者ＩＤグループ登録の概略図であり、複数の利用者ＩＤが取得された場合、それらの利用者ＩＤをグループ登録できるものであり、その構成要素としては、グループのＩＤを特定する「グループＩＤ」フィールド（ｆ１）と、グループの名称を示す「グループ名称」フィールド（ｆ２）と、利用者ＩＤを管理するための管理番号を示す「管理番号」フィールド（ｆ３）と、グループ登録される利用者のＩＤを示す「利用者ＩＤ」フィールド（ｆ４）からなる。なお、本実施例で、各利用者がログイン時に自動的にグループ形成されるが、任意の利用者が特定の利用者を選択してグループ登録することも可能である。
【００４４】
図８は、楽曲別メドレー対応歌唱区間管理テーブル（Ｔ２）の概略図であり、グループ登録された利用者が歌唱した各楽曲の楽曲コードと、それぞれの楽曲について予めシステムによって設定された各歌唱区間の開始と終了を、演奏開始からの経過時間を１／１００秒単位に刻んで対応付けている。その構成要素としては、利用者が歌唱した楽曲の曲名を示す「曲名」フィールド（ｆ１）と、その楽曲ＩＤを示す「楽曲コード」フィールド（ｆ２）と、メドレーで歌唱する区間を示す「歌唱区間」フィールド（ｆ３）と当該歌唱区間の演奏開始からの経過時間を示す「タイムチャート」フィールド（ｆ４）などからなる。
【００４５】
図９は、利用者別抽出曲管理テーブル（任意曲）（Ｔ３）の概略図であり、図６に示した利用者別十八番管理テーブル（Ｔ１）から、グループ登録された各利用者の任意の十八番曲を任意に抽出し、図８に示した楽曲別メドレー対応歌唱区間管理テーブル（Ｔ２）に予め設定された歌唱区間を指定して記録したものである。その構成要素としては、利用者ＩＤを特定する「利用者ＩＤ」フィールド（ｆ１）と、抽出した順番を示す「抽出番号」フィールド（ｆ２）と、利用者が十八番に登録した楽曲の曲名を示す「曲名」フィールド（ｆ３）と、その楽曲ＩＤを示す「楽曲コード」フィールド（ｆ４）と、メドレーで歌唱する区間を示す「歌唱区間」フィールド（ｆ５）などからなり、各利用者の十八番登録した楽曲が任意に抽出されて納められている。
【００４６】
なお、利用者別十八番管理テーブル（Ｔ１）からそれぞれ２つの楽曲が任意に選択されているが、グループの人数に対応して選択数を変動させることができる。ここでは、各利用者の十八番の中から、システムが任意に楽曲を選択しているが、十八番の選択順位を予め利用者が設定するように構成することもできる。また、各楽曲について、システムが予め設定した歌唱区間を抽出するように設定されている。例えば、利用者Ａの「牛丼のうた」については、図８において○印で囲ったシステムの設定した歌唱区間が記録される。        
【００４７】
（イ）演奏頻度
次に、図２と図１０乃至図１１にしたがって、各利用者が登録している十八番の楽曲の中から、演奏頻度の高い楽曲を選んでグループメドレーを自動的に作成するシステムについて説明する。
【００４８】
図１０は、利用者別演奏頻度管理テーブル（Ｔ４）の概略図であり、（ア）は利用者Ａ、（イ）は利用者Ｂ、（ウ）は利用者Ｃの演奏頻度を示し、楽曲演奏頻度記録手段（２１）を利用し、利用者別の演奏頻度を管理したテーブルである。この利用者別演奏頻度管理テーブル（Ｔ４）は、各利用者が歌唱した楽曲情報を、演奏端末毎あるいはカラオケホスト装置にて管理するものであり、その構成要素としては、利用者ＩＤを特定する「利用者ＩＤ」フィールド（ｆ１）と、管理するための管理番号を示す「管理番号」フィールド（ｆ２）と、利用者が歌唱した楽曲の曲名を示す「曲名」フィールド（ｆ３）と、その楽曲ＩＤを示す「楽曲コード」フィールド（ｆ４）と、歌唱した楽曲の頻度を示す「演奏頻度」フィールド（ｆ５）と、演奏頻度の順位を示す「頻度順位」フィールド（ｆ６）などからなる。
【００４９】
なお、本実施例の演奏頻度に関する期間は、例えば現在から過去の所定期間をさかのぼり記録することであるが、所定期間を限定したり、利用者が最初に歌唱した時から現在までの期間を記録することも可能である。
【００５０】
つづいて、図７にて前述したように、利用者ＩＤが取得された複数の利用者をグループ登録する。そして、各利用者が登録している十八番の中で、演奏頻度の多い楽曲からメドレー楽曲を作成する。
【００５１】
図１１は、利用者別抽出曲管理テーブル（演奏頻度上位曲）（Ｔ５）の概略図であり、グループ登録された各利用者の十八番の楽曲中で演奏頻度上位曲を抽出したものである。先ず、図６に示した利用者別十八番管理テーブル（Ｔ１）から、グループ登録された各利用者の任意の十八番曲を抽出し、図８に示した楽曲別メドレー対応歌唱区間管理テーブル（Ｔ２）を参照してメドレーの歌唱区間を指定して記録し、さらに、図１０に示した利用者別演奏頻度管理テーブル（Ｔ４）から、各利用者の演奏頻度上位曲を抽出したものである。その構成要素としては、利用者ＩＤを特定する「利用者ＩＤ」フィールド（ｆ１）と、演奏頻度の順位を示す「頻度順位」フィールド（ｆ２）と、利用者が歌唱した楽曲の曲名を示す「曲名」フィールド（ｆ３）と、その楽曲ＩＤを示す「楽曲コード」フィールド（ｆ４）からなり、各利用者の十八番の中で演奏頻度の上位所定楽曲が納められている。なお、本実施例では、演奏頻度の１位と２位のものが選択されているが、グループの人数に対応して頻度順位を変動させることができる。
【００５２】
（ウ）歌唱採点
次に、図３と図１２乃至図１３にしたがって、各利用者が登録している十八番の楽曲の中から、歌唱採点の高い楽曲を選んでグループメドレーを自動的に作成するシステムについて説明する。
【００５３】
図１２は、利用者別採点結果管理テーブル（Ｔ６）の概略図であり、（ア）は利用者Ａの採点結果、（イ）は利用者Ｂの採点結果、（ウ）は利用者Ｃの採点結果を示し、各利用者が歌唱した楽曲毎の情報を、歌唱採点手段（２２）を利用して、利用者別に楽曲の採点結果を管理するテーブルであり、演奏端末毎あるいはカラオケホスト装置にて管理するものである。該利用者別採点結果管理テーブル（Ｔ６）の構成要素としては、利用者ＩＤを特定する「利用者ＩＤ」フィールド（ｆ１）と、管理するための管理番号を示す「管理番号」フィールド（ｆ２）と、利用者が歌唱した楽曲の曲名を示す「曲名」フィールド（ｆ３）と、その楽曲ＩＤを示す「楽曲コード」フィールド（ｆ４）と、歌唱した楽曲の歌唱区間を示す「歌唱区間」フィールド（ｆ５）と、歌唱採点手段（２２）が採点した歌唱区間毎の採点値を示す「区間毎採点値」フィールド（ｆ６）と、その楽曲全体の採点結果を示す「採点結果」フィールド（ｆ７）などから構成される。
【００５４】
つづいて、図７にて前述したように、利用者ＩＤが取得された複数の利用者をグループ登録する。そして、各利用者が登録している十八番の中で、歌唱採点の高い楽曲からメドレー楽曲を作成する。
【００５５】
図１３は、利用者別抽出曲管理テーブル（歌唱採点上位曲）（Ｔ７）の概略図であり、グループ登録された各利用者の十八番の楽曲中で歌唱採点上位曲を抽出したものである。先ず、図６に示した利用者別十八番管理テーブル（Ｔ１）から、グループ登録された各利用者の任意の十八番曲を抽出し、図８に示した楽曲別メドレー対応歌唱区間管理テーブル（Ｔ２）を参照してメドレーの歌唱区間を指定して記録し、さらに、図１２に示した利用者別採点結果管理テーブル（Ｔ６）から、各利用者の採点結果上位曲を抽出したものである。その構成要素としては、利用者ＩＤを特定する「利用者ＩＤ」フィールド（ｆ１）と、採点結果の順位を示す「採点順位」フィールド（ｆ２）と、利用者が歌唱した楽曲の曲名を示す「曲名」フィールド（ｆ３）と、その楽曲ＩＤを示す「楽曲コード」フィールド（ｆ４）と、メドレーで歌唱する区間を示す「歌唱区間」フィールド（ｆ５）などからなり、各利用者の所定上位曲が納められている。なお、採点結果の１位と２位のものが選択されているが、グループの人数に対応して頻度順位を変動させることができる。
【００５６】
ここでは、採点上位の各楽曲について、システムが予め設定した歌唱区間を抽出するように設定されている。例えば、利用者Ａの「牛丼のうた」については、図８において○印で囲ったシステムの設定した歌唱区間が記録される。
【００５７】
これに対して、採点上位の各楽曲について、当該利用者が最高採点値を得た歌唱区間を抽出して指定するように構成してもよい。例えば、同じく利用者Ａの「牛丼のうた」については、図１２において○印で囲った区間毎採点値の最高歌唱区間を抽出し、該最高歌唱区間を指定して、前記利用者別抽出曲管理テーブル（歌唱採点上位曲）（Ｔ７）へ記録するようにしてもよい。
【００５８】
図１４は、グループメドレー作成の概略図であり、概略図（ア）は、グループメドレー作成手段を使用し、前記利用者別抽出曲管理テーブル（Ｔ３,Ｔ５，Ｔ７）で管理されている各利用者の抽出楽曲を繋ぎ合わせてグループメドレーを作成したものであり、この作成されたグループメドレーの、演奏時の楽曲を示したものが表示画面（イ）である。表示画面（イ）は、グループ名（Ｄａ）と、各利用者の抽出された楽曲の歌詞を表示する歌詞表示部（Ｄｂ）と、現在どの利用者の楽曲がメドレーとして演奏されているかを表示する利用者楽曲表示部（Ｄｃ）からなる。
【００５９】
なお、同図（ア）において、利用者Ａ歌唱区間と利用者Ｂ歌唱区間と利用者Ｃ歌唱区間のそれぞれの歌唱区間の接続部分には、ブリッジ（図示省略）と称される楽曲移行のための間奏が挿入される。また、同図（イ）の表示は歌詞テロップとともに表示するためメインモニタ（Ｄ１）に表示されるが、必要に応じて、リモコン装置（Ｒ）のＬＣＤ（Liquid
Crystal Display）の表示部に同時表示させることもできる。
【００６０】
図１５は、利用者別抽出楽曲の表示画面であり、抽出楽曲表示手段にて前記利用者別抽出曲管理テーブル（Ｔ３,Ｔ５，Ｔ７）で管理されているグループ登録された各利用者の十八番の楽曲を、メインモニタまたはリモコン装置のＬＣＤに表示させたものであり、グループメドレー楽曲リスト（Ｄｅ）にてメドレーに納められている各利用者の楽曲情報が確認できる。この図示例では、グループ登録された各利用者について、抽出番号順に２曲のものが表示出されている。
【００６１】
このように、利用者ＩＤが取得された複数の利用者が、それぞれに利用者別十八番管理テーブルに登録している楽曲の中から、任意の楽曲、演奏頻度の上位楽曲、あるいは歌唱採点上位楽曲を抽出して所定の歌唱区間を繋ぎ合わせることにより、皆が代わる代わる歌唱できるグループメドレーを自動的に作成することができる。
【実施例２】
【００６２】
次に、図１６に示す、本発明に関わる通信カラオケシステムの概念的構成図と、図１７に示す、本発明のシステムに関連するカラオケホスト装置のブロック構成図にもとづき、本発明におけるカラオケ装置とカラオケホスト装置との関係と共に、当該カラオケホスト装置に設けられた、楽曲十八番記録手段と利用者別十八番管理テーブルについて説明する。
【００６３】
先ず、図１６に示すように、本発明に関する通信カラオケシステムは、主に、カラオケホスト装置（Ｈ）と通信ネットワークを介して接続された多数のカラオケ演奏装置（Ｐ，Ｐ・・・・）からなる。具体的には、先ず、カラオケホスト装置（Ｈ）は、一般公衆電話回線やＡＤＳＬあるいは光通信回線などを利用した通信ネットワークを介して各カラオケ演奏装置（Ｐ，Ｐ・・・・）に接続される。そして、例えば、インターネット（Ｎｉ）を利用したカラオケ事業者が管理するＶＰＮ（Virtual Private Network）を用い、カラオケホスト装置（Ｈ）と各カラオケ演奏装置（Ｐ）がルータ（図示省略）を介して接続され、各ルータは、その内蔵するＤＨＣＰ(Dynamic Host Configuration Protocol)サーバー機能によって、各カラオケ演奏装置（Ｐ，Ｐ・・・・）にＩＰアドレスを割り当て、それらのＭＡＣ（Media Access Control）アドレスと、このＩＰアドレスを対応付けしたテーブルを作成して通信処理をしている。
【００６４】
次に、図１７は、本発明のシステムに関連するカラオケホスト装置のブロック構成図である。カラオケホスト装置（Ｈ）は、通信制御インタフェース（３０）を利用してカラオケ装置（Ｐ）と通信を行い、中央制御手段（３１）における楽曲十八番登録手段（３２）の指示により、ハードディス（ＨＤＤ）（３３）には、前記したカラオケ装置と同様に、利用者別十八番管理テーブル（Ｔ１）が設けられている。
【００６５】
また、カラオケホスト装置（Ｈ）に保存したデータを各カラオケ装置（Ｐ，Ｐ・・・）にダウンロードすることが可能である。これにより、カラオケホスト装置（Ｈ）にネットワーク接続された如何なるカラオケ装置（Ｐ，Ｐ・・・）からもカラオケホスト装置（Ｈ）へ通信して情報を収集できるとともに、如何なるカラオケ装置（Ｐ，Ｐ・・・）に対してもカラオケホスト装置（Ｈ）に収集された情報を還元することができ、どこのカラオケ装置（Ｐ，Ｐ・・・）からでも同じサービスが受けられるといった効果を奏する。  以上、説明したように、本発明のグループメドレー作成システムによれば、利用者ＩＤと当該利用者が登録している十八番を使用し、複数の利用者ＩＤが取得された際に、各利用者の十八番の楽曲を自動的に抽出し、グループメドレーを作成することにより、代わる代わる皆が歌唱できるグループメドレーを自動的に作成でき、グループで利用者が来店するカラオケボックスなどで雰囲気を大いに盛り上げるといった効果を奏する。
【図面の簡単な説明】
【００６６】
【図１】請求項１に係るカラオケ装置のブロック構成図
【図２】請求項２に係るカラオケ装置のブロック構成図
【図３】請求項２に係るカラオケ装置のブロック構成図
【図４】リモコン装置（Ｒ）の外観斜視図
【図５】ログインするための利用者ＩＤ登録画面の概略図
【図６】利用者別十八番管理テーブルの概略図
【図７】利用者ＩＤグループ登録の概略図
【図８】楽曲別メドレー対応歌唱区間管理テーブルの概略図
【図９】利用者別抽出曲管理テーブル（任意曲）の概略図
【図１０】利用者別演奏頻度管理テーブルの概略図
【図１１】利用者別抽出曲管理テーブル（演奏頻度上位曲）の概略図
【図１２】利用者別採点結果管理テーブルの概略図
【図１３】利用者別抽出曲管理テーブル（歌唱採点上位曲）の概略図
【図１４】グループメドレー作成の概略図
【図１５】利用者別抽出楽曲の表示画面の概略図
【図１６】本発明に関わる通信カラオケシステムの概念的構成図
【図１７】本発明のシステムに関連するカラオケホスト装置のブロック構成図
【符号の説明】
【００６７】
Ｐ    カラオケ装置
２，３１  中央制御手段
３    ＩＤカードＲ／Ｗ（読み取り／書き込み装置）（利用者ＩＤ取得手段）
４，３３  ハードディスク（ＨＤＤ）
１５  楽曲十八番登録手段
１６  グループ登録手段
１７  利用者別楽曲抽出手段
１８  グループメドレー作成手段
２１  楽曲演奏頻度記録手段
２２  歌唱採点手段
２３  楽曲採点記録手段
Ｔ１  利用者別十八番管理テーブル
Ｔ２  楽曲別メドレー対応歌唱区間管理テーブル
Ｔ３  利用者別抽出曲管理テーブル（任意曲）
Ｔ４  利用者別演奏頻度管理テーブル
Ｔ５  利用者別抽出曲管理テーブル（演奏頻度上位曲）
Ｔ６  利用者別採点結果管理テーブル
Ｔ７  利用者別抽出曲管理テーブル（歌唱採点上位曲）
Ｒ    リモコン装置
【図１】
2007316370.tif 000003
【図２】
2007316370.tif 000004
【図３】
2007316370.tif 000005
【図４】
2007316370.tif 000006
【図５】
2007316370.tif 000007
【図６】
2007316370.tif 000008
【図７】
2007316370.tif 000009
【図８】
2007316370.tif 000010
【図９】
2007316370.tif 000011
【図１０】
2007316370.tif 000012
【図１１】
2007316370.tif 000013
【図１２】
2007316370.tif 000014
【図１３】
2007316370.tif 000015
【図１４】
2007316370.tif 000016
【図１５】
2007316370.tif 000017
【図１６】
2007316370.tif 000018
【図１７】
2007316370.tif 000019